(57)【要約】      （修正有）【課題】組み立てが簡単であると共に、歩留まりを向上させることができる抵抗式タッチパネルを提供する。【解決手段】下プレートモジュールと、上プレートモジュールとを有し、前記下プレートモジュールは、基板１０と、上面の周縁近傍に複数の電極１２を有する、前記基板の上面に積層される下導電層１１と、一端が前記下導電層の電極と接続される柔軟性を有するリボンケーブル１３と、下部に位置する粘着層１５により、前記下導電層の上面に張り付けられるハーフトーン層１４とを有し、前記上プレートモジュールは、保護薄膜２０と、前記底面に印加される図案層２２と、前記柔軟性を有するリボンケーブルと電気接続するために該図案層の底面の周縁近傍に設けられるインク電極２３とを有する、前記保護薄膜の底面に設けられる上導電層２１と、前記インク電極を被覆して隔離するために前記上導電層の底面に設けられる絶縁インク層２４とを有することを特徴とする。【選択図】図１
0003155853.tif 000002
【実用新案登録請求の範囲】
【請求項１】
下プレートモジュールと、上プレートモジュールとを有し、
前記下プレートモジュールは、
基板と、
上面の周縁近傍に複数の電極を有する、前記基板の上面に積層される下導電層と、
一端が前記下導電層の電極と接続される柔軟性を有するリボンケーブルと、
下部に位置する粘着層により、前記下導電層の上面に張り付けられるハーフトーン層とを有し、
前記上プレートモジュールは、
保護薄膜と、
前記底面に印加される図案層と、前記柔軟性を有するリボンケーブルと電気接続するために該図案層の底面の周縁近傍に設けられるインク電極とを有する、前記保護薄膜の底面に設けられる上導電層と、
前記インク電極を被覆して隔離するために前記上導電層の底面に設けられる絶縁インク層とを有することを特徴とする抵抗式タッチパネル。
【請求項２】
前記基板がガラス板であることを特徴とする請求項１に記載の抵抗式タッチパネル。
【請求項３】
前記インク電極がインクとナノスケール金属粒子とを有することを特徴とする請求項１又は請求項２に記載の抵抗式タッチパネル。
【請求項４】
前記上導電層が透明電極からなり、前記下導電層が透明電極からなることを特徴とする請求項３に記載の抵抗式タッチパネル。
【請求項５】
さらに前記粘着層に形成される下貫通孔と、
前記絶縁インク層に形成される上貫通孔と、
前記下貫通孔及び上貫通孔に挿入され、前記上プレートモジュールのインク電極と下プレートモジュールの電極とを電気接続させるための電気接続手段である導電部材とを有することを特徴とする請求項１乃至請求項４の何れか１項に記載の抵抗式タッチパネル。
【考案の詳細な説明】
【技術分野】
【０００１】
本考案は、特に組み立てが容易であると共に、歩留まりを向上させることができる抵抗式タッチパネルに関するものである。
【背景技術】
【０００２】
近年、生活上の利便性をさらに向上させるために、多数の電子装置は、人間工学を取り入れて設計されるようになってきた。例えば、電子装置の制御手段には、従来、キーボードによる入力が一般的であったが、高い利便性を有する接触式のタッチパネルが採用されるようになってきた。
【０００３】
前記従来のタッチパネルには主に、抵抗式タッチパネルと静電容量方式タッチパネルの二種類があり、その内、従来の抵抗式タッチパネルは、図４及び図５に示すように、透明の基板（９０）と、該基板（９０）の上面に積層される下導電層（９０１）と、該下導電層（９０１）の上面周縁近傍に設けられる複数の第１電極（９０２）と、該第１電極（９０２）と電子装置における内部の制御回路と接続される、柔軟性を有するＴ字形のリボンケーブル（９０３）と、該第１電極（９０２）に設けられる粘着層（９０４）と、該粘着層（９０４）により貼り付けられる保護薄膜（９１）と、該下導電層（９０１）の上面に積層されるハーフトーン層（９０５）と、上導電層（９１１）と、柔軟性を有するリボンケーブル（９０３）と電気接続するために、該上導電層（９１１）の底面の周縁近傍に設けられる複数の第２電極（９１２）と、該上導電層（９１１）の底面の第２電極（９１２）に設けられる絶縁層（９１３）と、該上導電層（９１１）上に積層される保護薄膜（９１）と、該保護薄膜（９１）の上面に設けられる第２粘着層（９１４）と、該第２粘着層（９１４）に貼り付けられる硬化膜（９２）と、タッチポイントを示すために、該硬化膜（９２）の底面に印加される複数の図案層（９２１）とを有する。
【考案の開示】
【考案が解決しようとする課題】
【０００４】
しかしながら、前記部材からなる従来の抵抗式タッチパネルは、前記硬化膜が、前記第２粘着層により前記保護薄膜に貼り付けられるので、使用効果に悪影響を齎す部分剥離を防ぐために、該硬化膜を保護薄膜に貼り付ける時、空気を完全に排除しなくてはならなかった。また、部分剥離の欠陥を有する場合、その製品は廃棄せざるを得ないことから、製造コストが増大する恐れがあるので、従来の抵抗式タッチパネルの構造には、更に改善する余地がある。
【０００５】
そこで、案出されたのが本考案であって、組み立てが容易であると共に、歩留まりを向上させることができる抵抗式タッチパネルを提供することを目的としている。
【課題を解決するための手段】
【０００６】
本願の請求項１の考案は、下プレートモジュールと、上プレートモジュールとを有し、
前記下プレートモジュールは、
基板と、
上面の周縁近傍に複数の電極を有する、前記基板の上面に積層される下導電層と、
一端が前記下導電層の電極と接続される柔軟性を有するリボンケーブルと、
下部に位置する粘着層により、前記下導電層の上面に張り付けられるハーフトーン層とを有し、
前記上プレートモジュールは、
保護薄膜と、
前記底面に印加される図案層と、前記柔軟性を有するリボンケーブルと電気接続するために該図案層の底面の周縁近傍に設けられるインク電極とを有する、前記保護薄膜の底面に設けられる上導電層と、
前記インク電極を被覆して隔離するために前記上導電層の底面に設けられる絶縁インク層とを有することを特徴とする抵抗式タッチパネル、を提供する。
【０００７】
本願の請求項２の考案は、前記基板がガラス板であることを特徴とする請求項１に記載の抵抗式タッチパネル、を提供する。
【０００８】
本願の請求項３の考案は、前記インク電極がインクとナノスケール金属粒子とを有することを特徴とする請求項１又は請求項２に記載の抵抗式タッチパネル、を提供する。
【０００９】
本願の請求項４の考案は、前記上導電層が透明電極からなり、前記下導電層が透明電極からなることを特徴とする請求項３に記載の抵抗式タッチパネル、を提供する。
【００１０】
本願の請求項５の考案は、さらに前記粘着層に形成される下貫通孔と、
前記絶縁インク層に形成される上貫通孔と、
前記下貫通孔及び上貫通孔に挿入され、前記上プレートモジュールのインク電極と下プレートモジュールの電極とを電気接続させるための電気接続手段である導電部材とを有することを特徴とする請求項１乃至請求項４の何れか１項に記載の抵抗式タッチパネル、を提供する。
【考案の効果】
【００１１】
本考案は上記の課題を解決するものであり、硬化膜が不要であることから、硬化膜の貼り付け工程も不要となるので、組み立て工程を容易にすることができると共に、歩留まりを向上させることができる。
【図面の簡単な説明】
【００１２】
【図１】本考案に係る抵抗式タッチパネルの第１実施例の分解斜視図である。
【図２】本考案に係る抵抗式タッチパネルの第１実施例の断面図である。
【図３】本考案に係る抵抗式タッチパネルの第２実施例の分解斜視図である。
【図４】従来の抵抗式タッチパネルの分解斜視図である。
【図５】従来の抵抗式タッチパネルの断面図である。
【考案を実施するための最良の形態】
【００１３】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１４】
図１は本考案に係る抵抗式タッチパネルの第１実施例の分解斜視図であり、図２は本考案に係る抵抗式タッチパネルの第１実施例の断面図であり、図３は本考案に係る抵抗式タッチパネルの第２実施例の分解斜視図である。
【００１５】
図１及び図２に示すように、本考案に係る抵抗式タッチパネルの第１実施例は、下プレートモジュールと、上プレートモジュールとを有するものである。
【００１６】
前記下プレートモジュールは、例えば、透明のガラス板である基板（１０）と、該基板（１０）の上面に設けられ、その上面の周縁近傍に複数の電極（１２）が設けられる下導電層（１１）と、一端が該下導電層（１１）の電極（１２）と接続されると共に、他端が、例えば電子装置の内部における制御回路と接続可能な、柔軟性を有するＴ字形のリボンケーブル（１３）と、粘着層（１５）により、下導電層（１１）の上面に貼り付けられるハーフトーン層（１４）とを有する。
【００１７】
前記上プレートモジュールは、保護薄膜（２０）と、該保護薄膜（２０）の底面に設けられ、前記下プレートモジュールの下導電層（１１）に貼り付けられるハーフトーン層（１４）と接触可能である上導電層（２１）と、該上導電層（２１）の底面に印加される図案層（２２）と、前記柔軟性を有するリボンケーブル（１３）と電気接続するために、該図案層（２２）の底面の周縁近傍に設けられるインク電極（２３）と、該インク電極（２３）を被覆して隔離するために、該上導電層（２１）の底面に設けられる絶縁インク層（２４）とを有し、これにより、本考案に係る抵抗式タッチパネルを使用する時、前記下プレートモジュールの下導電層（１１）及び前記上プレートモジュールの上導電層（２１）において電圧変化が生ずると共に、前記図案層（２２）にタッチポイントが示されるので、使用者は所望の機能に繋がるタッチポイントに触れるだけで、例えば指令などを簡単に入力することができる。
【００１８】
尚、前記上導電層（２１）は、透明電極からなると共に、前記下導電層（１１）は、透明電極（ＩＴＯ）からなることが好ましい。また、前記インク電極（２３）は、インクとナノスケール金属粒子とを有するものであってもよい。
【００１９】
前記本案の構成によれば、使用者が指または工具により前記保護薄膜（２０）に触れると、前記保護薄膜（２０）は、前記上プレートモジュールの上導電層（２１）と下プレートモジュールの下導電層（１１）が接触しながら陥凹するので、該下プレートモジュールの下導電層（１１）と上プレートモジュールの上導電層（２１）との間の抵抗が変化する。これによる電圧の変化が、制御部材によりコンピュータが計算可能なデジタル信号に変換され、使用者が触れる位置を算出する。
【００２０】
さらに図３に示すように、本考案に係る抵抗式タッチパネルの第２実施例は、前記第１実施例と類似した、下プレートモジュールと、上プレートモジュールとを有すると共に、さらに導電部材（１８）を有するものである。
【００２１】
第２実施例の下プレートモジュールは、基板（１０）と、複数の電極（１２）が設けられる下導電層（１１）と、一端が該下導電層（１１）の電極（１２）と接続されると共に、他端が、例えば電子装置の内部における制御回路と接続可能な、柔軟性を有するＴ字形のリボンケーブル（１３）と、粘着層（１５）と、該粘着層（１５）により、下導電層（１１）の上面に貼り付けられるハーフトーン層（１４）とを具備する前記第１実施例の下プレートモジュールと類似した構成を有するものであるが、該第２実施例の下プレートモジュールの粘着層（１５）には、さらに下貫通孔（１５１）が形成される。
【００２２】
第２実施例の上プレートモジュールは、保護薄膜（２０）と、上導電層（２１）と、図案層（２２）と、インク電極（２３）と、絶縁インク層（２４）とを具備する前記第１実施例の上プレートモジュールと類似した構成を有するものであるが、該第２実施例の上プレートモジュールの絶縁インク層（２４）には、さらに上貫通孔（２４１）が形成される。
【００２３】
また、前記導電部材（１８）は、前記下貫通孔（１５１）及び上貫通孔（２４１）に挿入され、前記上プレートモジュールのインク電極（２３）と下プレートモジュールの電極（１２）とを電気接続させるための電気接続手段である。
【産業上の利用可能性】
【００２４】
本考案は上記の構造を有し、部材からなる抵抗式タッチパネルにおいて、図案層が上導電層の底面に印加され、即ち、図案層を硬化層に印加しなくてもよいことから、抵抗式タッチパネルの組み立て工程のステップを省略できるので、製造コストを節約することができる。これにより、歩留まりを向上させ、組み立て工程における誤作動などの問題を防ぐことができるので、本考案に係る抵抗式タッチパネルの競争力を向上させることができる。
【００２５】
さらに、本考案に係る抵抗式タッチパネルは硬化膜が不要であるので、持ち運びやすく軽量化することができるのみならず、軽くタッチするだけで感知可能であるので、使用上の利便性を向上させることができる。
【符号の説明】
【００２６】
１０  基板
１１  下導電層
１２  電極
１３  リボンケーブル
１４  ハーフトーン層
１５  粘着層
１５１        上貫通孔
１８  導電部材
２０  保護薄膜
２１  上導電層
２２  図案層
２３  インク電極
２４  絶縁インク層
２４１        下貫通孔
９０  基板
９０１        下導電層
９０２        第１電極
９０３        リボンケーブル
９０４        粘着層
９０５        ハーフトーン層
９１  保護薄膜
９１１        上導電層
９１２        第２電極
９１３        絶縁層
９１４        第２粘着層
９２  硬化膜
９２１        図案層
【図１】
0003155853.tif 000003
【図２】
0003155853.tif 000004
【図３】
0003155853.tif 000005
【図４】
0003155853.tif 000006
【図５】
0003155853.tif 000007